(57)【要約】【課題】  大腿部や膝部に巻き付けることで、２つの異なるツボを同時に押圧して、脚部の痛みや疲労を効果的且つ速やかに取り除くことができる、脚ツボ押圧用ベルトを提供する。【解決手段】  ベルト本体２の裏面側に２つのツボ押圧部材３が、取り付け位置を個別に調整できるように面ファスナー６で結合されている。ベルト本体２を大腿部に巻き付け、２つのツボ押圧部材３の一方で大腿直筋のツボ（箕門）を押圧するとともに、他方の押圧部材３で大腿部裏側のツボ（殷門）を押圧する。また、ベルト本体２を膝部に螺旋状に巻き付けて、それぞれのツボ押圧部材で膝前面の足三里と豊隆の２つのツボを同時に押圧する。【選択図】  図１
0003201572.tif 000002
【実用新案登録請求の範囲】
【請求項１】
長手方向に弾性伸縮可能な素材で形成されたベルト本体と、
前記ベルト本体裏面側に取り付けられた略短円柱状の２つのツボ押圧部材を備え、
前記ベルト本体裏面側の一端近傍には、第１の面ファスナーが固定されているとともに、前記ベルト本体表面側には、前記第１の面ファスナーと結合する第２の面ファスナーが、当該ベルト本体の長手方向に複数に分割して所定長さの範囲で帯状に設けられ、
前記ベルト本体裏面側の他端近傍から当該ベルト本体の長手方向略中央部の間には、第３の面ファスナーが複数に分割して所定長さの範囲で帯状に設けられているとともに、前記それぞれのツボ押圧部材の下面には、前記第３の面ファスナーに着脱自在に結合する第４の面ファスナーが設けられて、前記ベルト本体の長手方向に対して、それぞれのツボ押圧部材の結合位置を個別に調整できるようにしたことを特徴とする脚ツボ押圧用ベルト。
【請求項２】
ツボ押圧部材は、略短円柱状に形成された樹脂又は天然有機素材からなる収容体の内部に、銅製の扁平な金属体とアルミニウム製の金属体を交互に積み重ねて封入した構造を有していることを特徴とする請求項１に記載の脚ツボ押圧用ベルト。
【請求項３】
収容体は内部に金属体を封入した透明なエポキシ樹脂で形成されていることを特徴とする請求項２に記載の脚ツボ押圧用ベルト。  
【請求項４】
収容体は、積み重ねた金属体を上面に保持する円形のコルク板と、前記金属体を前記コルク板とともに略短円柱状に被覆する布で形成されていることを特徴とする請求項２に記載の脚ツボ押圧用ベルト。
【請求項５】
金属体は、平面視六芒星状に上下方向に重ねて配置された、銅線からなる２つの正三角形状コイルと、これらの正三角形状コイルの間に配置された、アルミニウム線からなる１つの扁平な渦巻き状コイルであり、下方の正三角形状コイルにはその１辺と他の２辺との間に、それぞれダイオードが接続されていることを特徴とする請求項２乃至請求項４の何れかに記載の脚ツボ押圧用ベルト。
【考案の詳細な説明】
【技術分野】
【０００１】
本考案は、脚部の痛みや疲労に有効なツボを効果的に押圧するために、大腿部や膝部に巻き付けて使用する脚ツボ押圧用ベルトに関する。
【背景技術】
【０００２】
従来において、身体各部の筋肉のこりや痛み、疲労を緩和・除去するために、指圧部材や電極によって患部に関係するツボを刺激したり、磁石や遠赤外線セラミックスを直接患部に当てて血行を促進するような、様々な器具が提案されている。
【０００３】
例えば、特許文献１に記載されている医療用コイルは、セラミックコーティングされた２つの渦巻き状コイルを上下に重ねて患者の患部に粘着シートで固定して使用するものである。同文献によれば、肩こり、筋肉のこり等の体の不具合の他、電磁波過敏症にも有効であるとされている。
【０００４】
また、特許文献２に記載されている微弱電流式指圧器具は、それぞれ突起状に形成した銅素材のプラス電極とアルミニウム素材のマイナス電極とを、テープ本体の一側の適宜位置に所定間隔で配置したもので、これらの電極の片方が人のツボ（経穴）に当接するように、両電極をテープ本体で人体の皮膚に当接させて巻き付け、ツボへの刺激を与えるとともに、皮膚を導通回路として電極間に流れる微弱な電流で血行を良くし、筋肉疲労等を除去するものである。
【０００５】
また、特許文献３に記載されている磁気遠赤外線健康具は、磁性を有する遠赤外線放射セラミックス板の片面に一対の薄板状永久磁石を磁極の向きを互いに表裏逆向きに固定したもので、遠赤外線と磁気による相乗効果で身体各部の血行を促進して健康増進効果を得ようとするものである。
【先行技術文献】
【特許文献】
【０００６】
【特許文献１】特許第５５１１９３１号公報
【特許文献２】特開２０００−３７４３７号公報
【特許文献３】特開２００１−２４５９９３号公報
【考案の概要】
【考案が解決しようとする課題】
【０００７】
前述したような従来の器具は、患部に直接当てたり、特定のツボを刺激して治療効果を得ようとするものであるが、前記特許文献１や特許文献３に記載されているもののように、患部に直接当てるものは、患部が肩こりのように狭い範囲に限定される場合には使用できるが、例えば、座骨神経痛のように、腰部から脚部にかけて広範囲に痛みがある場合には適用が困難である。
【０００８】
一方、前記特許文献２のように、ツボを刺激して患部を治療するものでは、ある程度広い部位の痛みや疲労に対応可能であると思われるが、患部の特定の筋肉が関係する一つのツボへの刺激だけでは、大腿部や膝部等に生じる広範囲の痛みや疲労に対しては、十分な効果が得られない問題があった。
【０００９】
そこで、本考案は、前述したような従来技術における問題を解消し、大腿部や膝部に巻き付けることで、２つの異なるツボを同時に押圧して、脚部の痛みや疲労を効果的且つ速やかに取り除くことができる、脚ツボ押圧用ベルトを提供することを目的とする。
【課題を解決するための手段】
【００１０】
前記課題を解決するために提供される本考案の脚ツボ押圧用ベルトは、長手方向に弾性伸縮可能な素材で形成されたベルト本体と、前記ベルト本体裏面側に取り付けられた略短円柱状の２つのツボ押圧部材を備えている。
【００１１】
前記ベルト本体裏面側の一端近傍には、第１の面ファスナーが固定されているとともに、前記ベルト本体表面側には、前記第１の面ファスナーと結合する第２の面ファスナーが、当該ベルト本体の長手方向に複数に分割して所定長さの範囲で帯状に設けられている。
【００１２】
また、前記ベルト本体裏面側の他端近傍から当該ベルト本体の長手方向略中央部の間には、第３の面ファスナーが複数に分割して所定長さの範囲で帯状に設けられているとともに、前記それぞれのツボ押圧部材の下面には、前記第３の面ファスナーに着脱自在に結合する第４の面ファスナーが設けられており、前記ベルト本体の長手方向に対して、それぞれのツボ押圧部材の結合位置を個別に調整できるようにしてある。
【００１３】
本考案の脚ツボ押圧用ベルトにおいては、ツボ押圧部材は、略短円柱状に形成された樹脂又は天然有機素材からなる収容体の内部に、銅製の扁平な金属体とアルミニウム製の金属体を交互に積み重ねて封入した構造を有していることが望ましい。
【００１４】
また、収容体は、金属体を封入した透明なエポキシ樹脂で形成されていることが望ましい。また、収容体は、積み重ねた金属体を上面に保持する円形のコルク板と、前記金属体を前記コルク板とともに略短円柱状に被覆する布で形成されていることも望ましい。
【００１５】
さらに、金属体は、平面視六芒星状に上下方向に重ねて配置された、銅線からなる２つの正三角形状コイルと、これらの正三角形状コイルの間に配置された、アルミニウム線からなる１つの渦巻き状コイルであり、下方の正三角形状コイルにはその１辺と他の２辺との間に、それぞれダイオードが接続されていることも望ましい。
【考案の効果】
【００１６】
本考案に係る脚ツボ押圧用ベルトは、ベルト本体を大腿部に巻き付けて、２つのツボ押圧部材の一方で、大腿直筋の内側寄りのツボ（箕門）を押圧するとともに、他方で、大腿部の裏側のツボ（殷門）を押圧することができ、これら２つのツボを同時に押圧することによって、脚部の痛みや疲労を効果的且つ速やかに取り除くことができ、歩行が楽になる。
【００１７】
この際、２つのツボ押圧部材は、ベルト本体に対して面ファスナーで取り付け位置をそれぞれ個別に移動調整することができるため、それぞれに対応するツボの位置や大腿部の太さに個人差があっても、これらのツボ押圧部材を前記各ツボの位置に正確に合わせて効果的に押圧刺激を与えることができる。
【００１８】
さらに、本考案に係る脚ツボ押圧用ベルトは、膝部に螺旋状に巻き付けて、２つのツボ押圧部材でそれぞれ、膝の表側に上下に位置する足三里と豊隆の２つのツボを同時に押圧することができ、これら２つのツボを同時に押圧することによって、膝部の疲労や歩行時等の痛みを効果的且つ速やかに取り除くことができる。
【図面の簡単な説明】
【００１９】
【図１】本考案の脚ツボ押圧用ベルトの１実施形態を示す平面図であって、同図（ａ）はその裏面側、（ｂ）は表面側をそれぞれ示す。
【図２】図１に示す脚ツボ押圧用ベルトにおける、ベルト本体裏面側へのツボ押圧部材の取り付け構造を示す部分図である。
【図３】ツボ押圧部材の収容体内部に封入される金属体の一例を示す図である。
【図４】本考案の脚ツボ押圧用ベルトの大腿部への装着状態を前方から見た図である。
【図５】本考案の脚ツボ押圧用ベルトの大腿部への装着状態を後方から見た図である。
【図６】本考案の脚ツボ押圧用ベルトを大腿部へ装着したときの、２つのツボ押圧部材の位置関係を模式的に示す大腿部の横断面図である。
【図７】大腿部前側のツボ（箕門）の位置を示す図である。
【図８】大腿部後側のツボ（殷門）の位置を示す図である。
【図９】図１に示す脚ツボ押圧用ベルトを膝部に装着した状態を示す側面図である。
【図１０】膝部の２つのツボ（足三里と豊隆）の位置を示す図である。
【図１１】ツボ押圧部材の収容体内部に封入される金属体の別の形態を示す図である。
【図１２】ツボ押圧部材の収容体内部に封入される金属体のさらに別の形態を示す図である。
【図１３】ツボ押圧部材の収容体の別の形態を示す図である。
【考案を実施するための形態】
【００２０】
以下、図面に基づいて本考案の実施形態を説明する。
図１は、本考案の脚ツボ押圧用ベルトの１実施形態を示す平面図であって、（ａ）はその裏面側、（ｂ）は表面側をそれぞれ示している。
【００２１】
同図に示す脚ツボ押圧用ベルト１は、細長いベルト本体２を有している。本実施形態のものにおいては、前記ベルト本体２は、長手方向に弾性伸縮が可能な長さ１２５ｃｍ、幅５ｃｍの帯状の布素材から製作されており、その裏面側には、略短円柱状の外形輪郭を有する２つのツボ押圧部材３が着脱自在に取り付けられている。
【００２２】
なお、本考案の脚ツボ押圧用ベルト１の使用方法ついては後述するが、この脚ツボ押圧用ベルト１は、ベルト本体２を大腿部や膝部に巻き付けることにより、前記２つのツボ押圧部材３によって、大腿部の表裏にある２箇所のツボ、もしくは、膝部前側に上下に存在する２箇所のツボを、それぞれ２つ同時に押圧することができる。
【００２３】
図１（ａ）に示すように、脚ツボ押圧用ベルト１には、大腿部や膝部に巻き付けて固定するために、ベルト本体２の裏面側の一端近傍に、第１の面ファスナーとしての面ファスナー４が縫着されている。
【００２４】
また、同図（ｂ）に示すように、ベルト本体２の表面側には、前記面ファスナー４と結合する第２の面ファスナーとしての帯状の面ファスナー５が、当該ベルト本体２の長手方向に沿って縫着されている。なお、面ファスナー５は、ベルト本体２の長手方向に一体に連続していると、当該ベルト本体２の伸縮性が損なわれるため、前記長手方向に沿って複数に分割されて縫着されている。
【００２５】
また、ベルト本体２の裏面側の他端近傍から当該ベルト本体２の長手方向略中央部の間には、第３の面ファスナーとしての面ファスナー６が、前記面ファスナー５と同様にベルト本体２の伸縮性を損なわないように長手方向に複数に分割して、所定長さの範囲で帯状に縫着されている。
なお、前述したそれぞれの面ファスナー４、５、６は、ベルト本体２に接着剤によって固定されていてもよい。
【００２６】
また、図１（ａ）に示すように、本実施形態のものにおいては、ベルト本体２の裏面側に適宜間隔で、柔軟性のある網目状の滑り止め部材７が縫着されている。これらの滑り止め部材７は、ベルト本体２を大腿部や膝部に巻き付けた時に、ベルト本体２が滑って各ツボ押圧部材３の当たる位置がずれることを防ぐ役割を果たしている。なお、ベルト本体２自体に滑りにくい素材を用いている場合には、滑り止め部材７は省略してもよい。
【００２７】
一方、図２に示すように、各ツボ押圧部材３の下面には、ベルト本体２側の面ファスナー６（第３の面ファスナー）に着脱自在に結合する、第４の面ファスナーとしての円板状の面ファスナー８が固定されていて、これにより、ベルト本体２の長手方向に対して、２つのツボ押圧部材３の結合位置が個別に移動調整できるようになっている。
【００２８】
また、これらのツボ押圧部材３は、上面周縁部が滑らかな円弧状に形成された、略短円柱状の収容体９を有している。収容体９は透明なエポキシ樹脂により製作されており、前述した円板状の面ファスナー８は、当該収容体９の平坦に形成された下面に接着剤によって固定されている。
【００２９】
図３に示すように、ツボ押圧部材３の内部には金属体１０が封入されている。前記金属体１０は、この実施形態のものにおいては、平面視六芒星状に上下方向に重ねて配置された銅線からなる２つの正三角形状コイル１０Ａ、１０Ｂと、これらの正三角形状コイル１０Ａ、１０Ｂの間に挟み込まれたアルミニウム線からなる一つの扁平な渦巻き状コイル１０Ｃから構成されている。また、下方の正三角形状コイル１０Ｂには、その１辺と他の２辺との間にそれぞれダイオードＤが接続されている。
【００３０】
次に、前述したように構成されている脚ツボ押圧用ベルト１の使用方法について説明する。
本考案の脚ツボ押圧用ベルト１の使用方法には２つあり、その第１のものは、図４及び図５に示すように、脚ツボ押圧用ベルト１を大腿部に巻き付けて使用する方法である。
【００３１】
図６は、脚ツボ押圧用ベルト１を左脚大腿部へ装着したときの、２つのツボ押圧部材３間の位置関係を模式的に示す大腿部の横断面図であって、同図に示すように、一方のツボ押圧部材３は、大腿部前側のツボである箕門（きもん）の位置ａに当接させる。また、他方のツボ押圧部材３は、大腿部後側のツボである殷門（いんもん）の位置ｂに当接させる。
【００３２】
なお、脚ツボ押圧用ベルト１は、ベルト本体２に対して２つのツボ押圧部材３の結合位置を予め調整した上で、ベルト本体２を大腿部に巻き付け、ずれ落ちない程度軽く緊張させた状態で、図１に示す裏面側の面ファスナー４を表側の面ファスナー５に結合して大腿部に装着する。
【００３３】
ここで、前記箕門というツボは、両脚の大腿直筋の内側にそれぞれ存在する、股関節痛や閉鎖神経痛に効くツボであって、図７に小さな黒丸で示す位置にある。また、前記殷門というツボは、大腿部裏側にある座骨神経痛に効くツボであって、図８に小さな黒丸で示す位置にある。なお、脚ツボ押圧用ベルト１を装着している時間は、片脚ずつ１０分〜１５分程度とすることが望ましい。
【００３４】
次に、本考案の脚ツボ押圧用ベルト１の使用方法における第２のものは、図９に示すように、膝部分に螺旋状に巻き付けて使用する方法である。ここでは、前述した２つのツボ押圧部材３を、図１０に示す膝直下にあるツボである足三里（あしさんり）と、その下方にあるツボである豊隆（ほうりゅう）にそれぞれ当接するように、ベルト本体２に対して２つのツボ押圧部材３の結合位置を調整してベルト本体２を軽く緊張させた状態で螺旋状に膝部に巻き付け、先に説明したベルト本体２の裏面側の面ファスナー４を表面側の面ファスナー５に結合して膝部に装着する。
【００３５】
なお、足三里は、腰痛や膝痛に効くツボであり、また、豊隆も膝関節の痛みに効くツボである。脚ツボ押圧用ベルト１を装着時間は、前述した大腿部の場合と同様に、片脚ずつ１０分〜１５分程度とすることが望ましい。
【００３６】
次に、図１１は、図３において説明したツボ押圧部材３の収容体９の内部に封入される金属体の別の形態を示すものであって、同図に示す金属体１０’は、３つの扁平な渦巻き状コイル１０’Ａ、１０’Ｂ、１０’Ｃから構成されている。
【００３７】
ここで、上下２つの渦巻き状コイル１０’Ａ、１０’Ｂは銅製であり、また、これらの間に配置されている一つの渦巻き状コイル１０’Ｃはアルミニウム製であって、これらの渦巻き状コイル１０’Ａ、１０’Ｂ、１０’Ｃの外径とコイル線径は、それぞれ同一である。
【００３８】
また、図１２は、図３において説明したツボ押圧部材３の収容体９の内部に封入される金属体のさらに別の形態を示すものであって、同図に示す金属体１０”は、３枚の金属円板１０”Ａ、１０”Ｂ、１０”Ｃから構成されている。
【００３９】
ここで、上下２枚の金属円板１０”Ａ、１０”Ｂは銅製であり、また、これらの間に配置されている金属円板１０”Ｃはアルミニウム製であって、これらの金属円板１０”Ａ、１０”Ｂ、１０”Ｃの板厚と外径は、それぞれ略同一である。
【００４０】
また、以上に説明したツボ押圧部材３においては、収容体９の素材として透明なエポキシ樹脂を用いているが、収容体の素材はこれに限定するものではなく、例えば、シリコン樹脂や、木、布等の有機素材を用いることも可能である。
【００４１】
例えば、前述した図３に示すツボ押圧部材３においては、２つの正三角形状コイル１０Ａ、１０Ｂと、これらの正三角形状コイル１０Ａ、１０Ｂの間に挟み込まれた一つの渦巻き状コイル１０Ｃからなる
金属体１０をエポキシ樹脂からなる収容体９内に封入しているが、この構造に代えて、図１３に示すように、前記金属体１０を円形のコルク板９’Ａの上面に配置し、これらのコルク板９’Ａと金属体１０の外側を布テープ９’Ｂで包んでもよい。
【００４２】
なお、図１３に示すツボ押圧部材３においては、コルク板９’Ａと布テープ９’Ｂにより、略短円柱状の収容体９’が構成されている。また、面ファスナー８は、コルク板９’Ａの下面を覆っている布テープ９’Ｂの下面に接着剤で固定してある。
【００４３】
以上に説明した実施形態においては、同一構造のツボ押圧部材３を２つ用いているが、それぞれ構造の異なるものを組み合わせて用いてもよい。また、ここでは、ツボ押圧部材３は、略短円柱状に形成された樹脂又は天然有機素材からなる収容体の内部に、図３、図１１、図１２に示すような金属体１０、１０’、１０”を封入した構造としているが、ツボ押圧部材３の構造はこれに限定するものではなく、収容体内に、例えば、水晶、トルマリン等の天然鉱石やネオジム磁石等を封入してもよい。
【００４４】
なお、現時点において科学的な解明は未だされていないが、ツボ押圧部材は、樹脂等の有機素材からなる収容体の内部に、銅製の扁平な金属体とアルミニウム製の金属体を交互に積み重ねて封入することで、より治療効果が高まることが確認されている。
【００４５】
特に、図３に示すように、金属体１０を、平面視六芒星状に上下方向に重ねて配置された銅線からなる２つの正三角形状コイル１０Ａ、１０Ｂと、これらの正三角形状コイル１０Ａ、１０Ｂの間に挟み込まれたアルミニウム線からなる一つの渦巻き状コイル１０Ｃから構成し、下方の正三角形状コイル１０Ｂその１辺と他の２辺との間にそれぞれダイオードＤを接続した場合には、さらに治療効果が高まることが確認されている。
【産業上の利用可能性】
【００４６】
本考案の脚ツボ押圧用ベルトは、治療院や一般の家庭おいて、大腿部や膝の歩行等の運動に伴う痛みや疲労を除去または軽減するために、広く利用することができる。
【符号の説明】
【００４７】
１      脚ツボ押圧用ベルト
２      ベルト本体
３      ツボ押圧部材
４      面ファスナー（第１の面ファスナー）
５      面ファスナー（第２の面ファスナー）
６      面ファスナー(第３の面ファスナー）
７      滑り止め部材
８      面ファスナー（第４の面ファスナー）
９、９’      収容体
９’Ａ        コルク板
９’Ｂ        布
１０、１０’、１０”   金属体
１０Ａ、１０Ｂ      正三角形状コイル(銅製）
１０Ｃ            渦巻き状コイル（アルミニウム製）
１０’Ａ、１０’Ｂ    渦巻き状コイル（銅製）
１０’Ｃ          渦巻き状コイル（アルミニウム製）
１０”Ａ、１０”Ｂ    金属円板（銅製）
１０”Ｃ          金属円板（アルミニウム製）
【図１】
0003201572.tif 000003
【図２】
0003201572.tif 000004
【図３】
0003201572.tif 000005
【図４】
0003201572.tif 000006
【図５】
0003201572.tif 000007
【図６】
0003201572.tif 000008
【図７】
0003201572.tif 000009
【図８】
0003201572.tif 000010
【図９】
0003201572.tif 000011
【図１０】
0003201572.tif 000012
【図１１】
0003201572.tif 000013
【図１２】
0003201572.tif 000014
【図１３】
0003201572.tif 000015